(57)【要約】【課題】装置内の機械を含む構成物の状態変化を伴った測定条件下での調整を回避できるようにすると共に、誤った調整を防止できるようにする。【解決手段】装置内の機械を含む構成物を調整するための基線画像を形成して出力される測定用チャートを読み取って画像取得データを出力するスキャナ１０２と、測定用チャートの出力を指示操作する操作表示部４８と、この出力指示操作に対応して測定用チャートを形成して出力するプリンタ８０と、ここに形成された測定用チャートの出力後から当該測定用チャートの読み込みに至る間の構成物の状態変化を検出する状態変化検出部５１と、ここに検出された構成物の状態変化を示す情報を記憶する状態変化記憶部５２と、状態変化記憶部５２に記憶された構成物の状態変化を示す情報に基づいて測定用チャートの読み取りを許可するか否かを判断し、判断結果に基づいてスキャナ１０２を制御する制御部１５とを備えるものである。【選択図】  図２
2012103439.tif 000002
【特許請求の範囲】
【請求項１】
装置内の機械を含む構成物を調整するための被測定画像を形成して出力されるシート部材を測定用チャートとしたとき、
前記測定用チャートを読み取って画像取得データを出力する画像読取部と、
前記測定用チャートの出力を指示操作する操作部と、
前記操作部からの出力指示操作に対応して前記測定用チャートを形成して出力する画像形成部と、
前記画像形成部によって形成された前記測定用チャートの出力後から当該測定用チャートの読み込みに至る間の前記構成物の状態変化を検出する検出部と、
前記検出部によって検出された前記構成物の状態変化を示す情報を記憶する記憶部と、
前記記憶部に記憶された前記構成物の状態変化を示す情報に基づいて前記測定用チャートの読み取りを許可するか否かを判断し、判断結果に基づいて前記画像読取部を制御する制御部とを備える
ことを特徴とする画像形成装置。
【請求項２】
前記制御部は、
読み込みを許可した前記画像読取部によって読み取られる前記測定用チャートの画像取得データから前記構成物の調整量を算出し、前記構成物の一以上の項目の調整を行うことを特徴とする請求項１に記載の画像形成装置。
【請求項３】
装置内の機械を含む構成物を調整するための被測定画像を形成して出力されるシート部材を測定用チャートとし、当該機械の各項目を自動調整する動作を自動調整モードとし、当該機械の各項目を手動調整する動作を手動調整モードとしたとき、
前記測定用チャートを読み取って画像取得データを出力する画像読取部と、
前記測定用チャートの出力を指示操作する操作部と、
前記操作部からの出力指示操作に対応して前記測定用チャートを形成して出力する画像形成部と、
前記画像形成部によって形成された前記測定用チャートの出力後から前記自動調整モードによる機械の調整に至る間の前記構成物の状態変化を検出する検出部と、
前記検出部によって検出された前記構成物の状態変化を示す情報を記憶する記憶部と、
前記記憶部に記憶された前記構成物の状態変化を示す情報に基づいて前記自動調整モードにより当該構成物を調整し、又は、前記手動調整モードにより前記構成物を調整する制御部とを備える
ことを特徴とする画像形成装置。
【請求項４】
前記制御部は、
前記画像読取部によって読み取られた前記測定用チャートの画像取得データを入力し、入力された前記画像取得データから前記構成物の調整量を算出し、前記構成物の一以上の項目の調整を行うことを特徴とする請求項３に記載の画像形成装置。
【請求項５】
前記構成物を調整する一以上の項目を表示する表示部を備え、
前記制御部は、
前記構成物の状態変化を示す情報に基づいて当該構成物の複数の調整の項目に対し、一以上の項目で調整を実施しないと判断した場合に、
前記測定用チャートの再出力を促す情報を前記表示部に表示することを特徴とする請求項４に記載の画像形成装置。
【請求項６】
前記制御部は、
前記構成物の状態変化を示す情報に基づいて当該構成物の複数の調整の項目に対し、一以上の項目で調整を実施しないと判断した場合であって、
前記操作部からの指示操作の入力に基づいて前記構成物で調整可能な項目のみの調整を実施するか否かを判断することを特徴とする請求項４に記載の画像形成装置。
【請求項７】
装置内の機械を含む構成物を調整するための基線画像を形成して出力されるシート部材を測定用チャートとしたとき、画像形成装置が、
出力操作に対応して前記測定用チャートを形成して出力するステップと、
前記測定用チャートを形成して出力した後から当該測定用チャートの読み込みに至る間の前記構成物の状態変化を検出して記憶するステップと、
記憶された前記構成物の状態変化を示す情報に基づいて前記測定用チャートの読み込みを許可するか否かを判断するステップと、
読み込みが許可された前記測定用チャートを読み取るステップと、
読み取った前記測定用チャートの画像取得データから前記構成物の調整量を算出し、前記構成物の一以上の項目の調整を行うステップと
を実行することを特徴とする画像形成方法。
【請求項８】
装置内の機械を含む構成物を調整するための被測定画像を形成して出力されるシート部材を測定用チャートとし、当該機械の各項目を自動調整する動作を自動調整モードとし、当該機械の各項目を手動調整する動作を手動調整モードとしたとき、画像形成装置が、
出力指示操作に対応して前記測定用チャートを形成して出力するステップと、
一方で、出力された前記測定用チャートを読み取って画像取得データを取得するステップと、
取得された前記画像取得データから前記構成物の調整量を算出するステップと、
他方で、前記測定用チャートの出力後から前記自動調整モードによる機械の調整に至る間の前記構成物の状態変化を検出して記憶するステップと、
記憶された前記構成物の状態変化を示す情報に基づいて前記自動調整モードにより当該構成物を調整し、又は、前記手動調整モードにより前記構成物を調整するステップと
を実行することを特徴とする画像形成方法。
【発明の詳細な説明】
【技術分野】
【０００１】
この発明は、装置内の機械を含む構成物を調整するための基線画像を形成して出力された測定用チャートを読み取って、当該機械の各項目を自動調整するカラー複写機や、複合機、プリンタ等に適用可能な画像形成装置及び画像形成方法に関するものである。
【背景技術】
【０００２】
近年、カラー用の画像データに基づいて色画像を形成するカラープリンタや、原稿の画像を読み取ってカラー画像再生用の画像信号を出力するスキャン機能を備えたカラー用の複写機や、複合機が使用される場合が多くなってきた。
【０００３】
例えば、カラー複写機はスキャナによってカラー原稿を読み取り、スキャナから、カラー画像を構成する赤色（Ｒ）、緑色（Ｇ）及び青色（Ｂ）系の画像データを入力し、画像処理後の画像データを画像形成部に出力する。電子写真方式を採用した画像形成部によれば、ＲＧＢ系の画像データを色変換した後のイエロー（Ｙ）色、マゼンタ（Ｍ）色、シアン（Ｃ）色及び黒（ＢＫ）色用の画像データに基づいてカラーのトナー像を形成する。
【０００４】
画像形成部は、Ｙ，Ｍ，Ｃ，ＢＫ色の像形成出力機能を各々分担する画像形成ユニットを備え、各作像色毎に帯電器によって一様に帯電された感光体ドラムに、画像データに基づいて静電潜像が、ポリゴンミラー等を使用した走査露光部により形成される。
【０００５】
この静電潜像は各作像色毎に現像器によって現像される。このような帯電、露光、現像を行い、感光体ドラム上に形成されたカラートナー像が、例えば、中間転写ベルト上で重ね合わされ、ここに重ね合わされたカラートナー像が転写部によって所望の用紙に転写される。用紙は用紙供給部から画像形成部へ搬送される。所定の用紙上に転写されたトナー像は、定着部により定着される。この結果、画像データに基づくカラー画像を所定の用紙に形成することができる。
【０００６】
ところで、画像形成装置（印刷機）には、出荷工程等において、画像の縦／横倍率、その書き出しタイミング、片寄り等を調整するときに、所定の用紙に基線画像を形成して、専用の測定用チャートを出力し、この測定用チャートを読み取り装置で読み取って、調整値を算出し、当該調整値を決定して機械の各項目を自動調整する機能がある。基線画像は、中間転写ベルト、転写部、画像形成ユニット、定着部及び用紙供給部等の機械を含む構成物を調整するための白黒や、カラーの線画や、パッチ画像である。
【０００７】
この種の機械調整機能を備えた画像形成装置に関連して、特許文献１には、画像形成システム、画像形成装置、端末装置、階調特性測定方法及び階調特性測定用紙（カラーチャート）が開示されている。この画像形成システムによれば、階調特性を補正する場合に、生成手段、合成手段、画像出力手段、測色手段及び判定手段を備えている。生成手段は、階調特性測定用紙を識別するための識別情報に基づいて、被測定領域を配列した識別情報用被測定領域データを生成する。階調特性測定用紙は階調特性を測定するためのものである。
【０００８】
合成手段は、生成手段により生成された識別情報用被測定領域データと、階調特性を測定するための階調特性測定用被測定領域データとを合成する。画像出力手段は、合成手段により合成された画像データに基づいて階調特性を測定するための階調特性測定用紙を出力する。測色手段は、画像出力手段により出力された階調特性測定用紙の各被測定領域の色彩値を測色する。これらを前提にして、測色手段により測色された測色結果のうち当該階調特性測定用紙を識別するために配置された領域を識別情報用被測定領域としたとき、判定手段が識別情報用被測定領域の測色結果に基づいて、当該階調特性測定用紙を識別するための識別情報を判定するようになされる。
【０００９】
このように画像形成システムを構成すると、測色手段により階調特性測定用紙の被測定領域を測色するだけで、階調補正を行なうべき画像形成装置や、対象トレイ、対象用紙等の識別情報を特定できるというものである。
【００１０】
また、特許文献２には画像形成装置、記録媒体、画像形成方法、装置調整方法及びそのプログラムが開示されている。この画像形成装置によれば、テスト画像の特徴量に基づいて像形成手段を調整する場合に、テスト画像出力指示手段、像形成手段、読取手段、検出手段、読取手段及び調整値決定手段が備えられる。テスト画像出力指示手段は、テストパターンが含まれたテスト画像及び付加情報を所定の用紙に形成するように像形成手段に指示する。この付加情報には、テスト画像を形成する像形成手段の状態を示す装置情報及び記録媒体に形成されたテスト画像の特徴量が含まれている。
【００１１】
像形成手段は、テスト画像出力指示手段から指示されたテストパターンを含むテスト画像及び付加情報を所定の用紙に形成する。読取手段は、テスト画像及び付加情報が形成された記録用紙から、テスト画像の特徴量及び付加情報を読み取る。検出手段は、読取手段よって読み取られたテスト画像からその特徴量及び付加情報を検出する。記憶手段には、検出手段により検出されたテスト画像の特徴量及び付加情報が記憶される。
【００１２】
これらを前提にして、調整値決定手段が、読取手段により読み取られた特徴量及び付加情報から、検出手段によって検出された特徴量に基づいて、像形成手段に関する調整値を決定するようになされる。このように画像形成装置を構成すると、特徴量に基づいて像形成手段を調整する際に、調整値決定手段から得られた調整結果を有効に利用できるというものである。
【先行技術文献】
【特許文献】
【００１３】
【特許文献１】特開２０１０−０７４２２９号公報（第９頁  図７）
【特許文献２】特開２００５−２０５６０４号公報（第１３頁  図５）
【発明の概要】
【発明が解決しようとする課題】
【００１４】
ところで、従来例に係る画像形成装置によれば、次のような問題がある。  
ｉ．特許文献１に見られるような画像形成システムによれば、階調補正を行うべき画像形成装置や、対象トレイ、対象用紙等の識別情報を特定する際に、画像出力手段により出力された階調特性測定用紙の各被測定領域の色彩値が測色手段によって測色されている。しかし、階調特性測定用紙を出力した後、当該階調特性測定用紙を読み取る前に現像器や、画像形成ユニット等の機械が操作されてしまうと、階調特性測定用紙（測定用チャート）を出力した時と、当該階調特性測定用紙の読み込み時とで、機械の状態が異なってしまい、正しく画像形成装置の階調補正（機械調整）ができないという問題がある。
【００１５】
ii．特許文献２に見られるような画像形成装置によれば、テスト画像の特徴量に基づいて像形成手段を調整する場合に、読取手段が記録用紙を読み取って得た特徴量及び付加情報と、検出手段が検出した特徴量とに基づいて、調整値決定手段が像形成手段に関する調整値を決定するようになされる。
【００１６】
しかし、特徴量及び付加情報が形成された記録用紙（測定用チャート）を出力した後、当該記録用紙を読み取る前に現像器や、画像形成ユニット、用紙供給部等の機械が操作されてしまうと、記録用紙（測定用チャート）を出力した時と、当該記録用紙の読み込み時とで、機械の状態が異なってしまい、正しく像形成手段を調整できないという問題がある。
【００１７】
iii．また、装置出荷時等において、装置内の機械を含む構成物を調整する場合に、ユーザが画像形成装置の前に立ち、測定用チャートの出力及び、当該測定用チャートの読み込みまでを一度に行っている。しかし、調整すべき画像形成装置が何台もある場合や、スキャナ機能が標準搭載でない機種の場合においては、ネットワーク上のスキャナを複数の画像形成装置で共用するような状況が考えられる。
【００１８】
このような状況下においては、機械調整に先行する形態で測定用チャートの出力のみが行われるため、他のユーザが手動で調整を行ってしまう場合がある。手動調整する際に、本体扉等が開閉されると、装置内の機械を含む構成物の状態変化が伴ってしまい、状態変化を伴った測定条件下での調整となってしまう。このため、測定用チャートの出力後、当該測定用チャートを読み取る前に、手動で調整を行ってしまうと、測定用チャートの読み取りによる自動調整が正確にできないという問題がある。
【００１９】
そこで、この発明は上述した課題を解決したものであって、装置内の機械を含む構成物の状態変化を伴った測定条件下での調整を回避できるようにすると共に、誤った調整を防止できるようにした画像形成装置及び画像形成方法を提供することを目的とする。
【課題を解決するための手段】
【００２０】
上記課題を解決するために、請求項１に記載の画像形成装置は、装置内の機械を含む構成物を調整するための被測定画像を形成して出力されるシート部材を測定用チャートとしたとき、前記測定用チャートを読み取って画像取得データを出力する画像読取部と、前記測定用チャートの出力を指示操作する操作部と、前記操作部からの出力指示操作に対応して前記測定用チャートを形成して出力する画像形成部と、前記画像形成部によって形成された前記測定用チャートの出力後から当該測定用チャートの読み込みに至る間の前記構成物の状態変化を検出する検出部と、前記検出部によって検出された前記構成物の状態変化を示す情報を記憶する記憶部と、前記記憶部に記憶された前記構成物の状態変化を示す情報に基づいて前記測定用チャートの読み取りを許可するか否かを判断し、判断結果に基づいて前記画像読取部を制御する制御部とを備えることを特徴とするものである。
【００２１】
請求項１に係る画像形成装置によれば、画像読取部は測定用チャートを読み取って画像取得データを出力する。操作部は、測定用チャートの出力を指示するように操作される。画像形成部は、操作部からの出力指示操作に対応して測定用チャートを形成して出力する。検出部は、画像形成部によって形成された測定用チャートの出力後から当該測定用チャートの読み込みに至る間の前記構成物の状態変化を検出する。記憶部には検出部によって検出された構成物の状態変化を示す情報が記憶される。これを前提にして、制御部が記憶部に記憶された構成物の状態変化を示す情報に基づいて測定用チャートの読み取りを許可するか否かを判断し、この判断結果に基づいて画像読取部を制御するようになる。この制御によれば、構成物に何らかの状態変化が有った場合、画像読取部における測定用チャートの読み取りを不許可とすることができ、構成物の状態変化を伴った測定条件下での調整を回避できるようになる。
【００２２】
請求項２に記載の画像形成装置は、請求項１において、前記制御部は、読み込みを許可した前記画像読取部によって読み取られる前記測定用チャートの画像取得データから前記構成物の調整量を算出し、前記構成物の一以上の項目の調整を行うことを特徴とするものである。
【００２３】
請求項３に記載の画像形成装置は、装置内の機械を含む構成物を調整するための被測定画像を形成して出力されるシート部材を測定用チャートとし、当該機械の各項目を自動調整する動作を自動調整モードとし、当該機械の各項目を手動調整する動作を手動調整モードとしたとき、前記測定用チャートを読み取って画像取得データを出力する画像読取部と、前記測定用チャートの出力を指示操作する操作部と、前記操作部からの出力指示操作に対応して前記測定用チャートを形成して出力する画像形成部と、前記画像形成部によって形成された前記測定用チャートの出力後から前記自動調整モードによる機械調整の実行に至る間の前記構成物の状態変化を検出する検出部と、前記検出部によって検出された前記構成物の状態変化を示す情報を記憶する記憶部と、前記記憶部に記憶された前記構成物の状態変化を示す情報に基づいて前記自動調整モードにより当該構成物を調整し、又は、前記手動調整モードにより前記構成物を調整する制御部とを備えることを特徴とするものである。
【００２４】
請求項３に係る画像形成装置によれば、画像読取部は測定用チャートを読み取って画像取得データを出力する。操作部は、測定用チャートの出力を指示するように操作される。画像形成部は、操作部からの出力指示操作に対応して測定用チャートを形成して出力する。検出部は、画像形成部によって形成された測定用チャートの出力後から自動調整モードによる機械調整の実行に至る間の構成物の状態変化を検出する。記憶部には検出部によって検出された構成物の状態変化を示す情報が記憶される。これを前提にして、制御部が記憶部に記憶された構成物の状態変化を示す情報に基づいて自動調整モードにより当該構成物を調整し、又は、手動調整モードにより当該構成物を調整するようになる。
【００２５】
この自動調整モードによる調整、又は、手動調整モードの調整によって、構成物に何らかの状態変化が有った場合、画像読取部における測定用チャートの読み取りが済んでいても、構成物の各項目の調整を実施しないように制御を分岐でき、構成物の状態変化を伴った測定条件下での調整を回避できるようになる。
【００２６】
請求項４に記載の画像形成装置は、請求項３において、前記制御部は、前記画像読取部によって読み取られた前記測定用チャートの画像取得データを入力し、ここに入力された前記画像取得データから前記構成物の調整量を算出し、前記構成物の一以上の項目の調整を行うことを特徴とするものである。
【００２７】
請求項５に記載の画像形成装置は、請求項４において、前記構成物を調整する一以上の項目の項目を表示する表示部を備え、前記制御部は、前記構成物の状態変化を示す情報に基づいて当該構成物の複数の調整の項目に対し、一以上の項目で調整を実施しないと判断した場合に、前記測定用チャートの再出力を促す情報を前記表示部に表示することを特徴とするものである。
【００２８】
請求項６に記載の画像形成装置は、請求項４において、前記制御部は、前記構成物の状態変化を示す情報に基づいて当該構成物の複数の調整の項目に対し、一以上の項目で調整を実施しないと判断した場合であって、前記操作部からの指示操作の入力に基づいて前記構成物で調整可能な項目のみの調整を実施するか否かを判断することを特徴とするものである。
【００２９】
請求項７に記載の第１の画像形成方法は、装置内の機械を含む構成物を調整するための基線画像を形成して出力されるシート部材を測定用チャートとしたとき、画像形成装置が、出力操作に対応して前記測定用チャートを形成して出力するステップと、前記測定用チャートを形成して出力した後から当該測定用チャートの読み込みに至る間の前記構成物の状態変化を検出して記憶するステップと、記憶された前記構成物の状態変化を示す情報に基づいて前記測定用チャートの読み込みを許可するか否かを判断するステップと、読み込みが許可された前記測定用チャートを読み取るステップと、読み取った前記測定用チャートの画像取得データから前記構成物の調整量を算出し、前記構成物の一以上の項目の調整を行うステップとを実行することを特徴とするものである。
【００３０】
請求項８に記載の第２の画像形成方法は、装置内の機械を含む構成物を調整するための被測定画像を形成して出力されるシート部材を測定用チャートとし、当該機械の各項目を自動調整する動作を自動調整モードとし、当該機械の各項目を手動調整する動作を手動調整モードとしたとき、画像形成装置が、出力指示操作に対応して前記測定用チャートを形成して出力するステップと、一方で、出力された前記測定用チャートを読み取って画像取得データを取得するステップと、取得された前記画像取得データから前記構成物の調整量を算出するステップと、他方で、前記測定用チャートの出力後から前記自動調整モードによる機械の調整に至る間の前記構成物の状態変化を検出して記憶するステップと、記憶された前記構成物の状態変化を示す情報に基づいて自動調整モードにより当該構成物を調整し、又は、前記手動調整モードにより前記構成物を調整するステップとを実行することを特徴とするものである。
【発明の効果】
【００３１】
請求項１に係る第１の画像形成装置及び請求項７に係る第１の画像形成方法によれば、構成物の状態変化を示す情報に基づいて測定用チャートの読み取りを許可するか否かを判断し、判断結果に基づいて画像読取部を制御する制御部を備えるものである。
【００３２】
この構成によって、構成物に何らかの状態変化が有った場合に、測定用チャートの読み取りを不許可とするように画像読取部を制御でき、構成物の状態変化を伴った測定条件下での調整を回避できるようになる。これにより、構成物の状態変化が無かった測定条件下で構成物の調整を実行できるので、誤った調整を防止できるようになる。
【００３３】
請求項２に係る画像形成装置によれば、制御部は、読み込みを許可した画像読取部によって読み取られる測定用チャートの画像取得データから構成物の調整量を算出し、当該構成物の一以上の項目の調整を行うので、構成物の状態変化が無かった測定条件下で、構成物の調整を正確に実行できるようになる。
【００３４】
請求項３に係る第２の画像形成装置及び、請求項８に係る第２の画像形成方法によれば、構成物の状態変化を示す情報に基づいて自動調整モードにより当該構成物を調整し、又は、前記手動調整モードにより前記構成物を調整する制御部を備えるものである。
【００３５】
この構成によって、構成物に何らかの状態変化が有った場合に、画像読取部における測定用チャートの読み取りが済んでいても、構成物の各項目の調整を実施しないように制御を分岐できるので、構成物の状態変化を伴った測定条件下での調整を回避できるようになる。これにより、構成物の状態変化が無かった測定条件下で構成物の調整を実行できるので、誤った調整を防止できるようになる。
【００３６】
請求項４に係る画像形成装置によれば、画像読取部によって読み取られた測定用チャートの画像取得データから構成物の調整量を算出し、当該構成物の一以上の項目の調整を行うので、構成物の状態変化を伴った測定条件下での調整を回避できるようになる。
【００３７】
請求項５に係る画像形成装置によれば、構成物の複数の調整の項目に対し、一以上の項目で調整を実施しないと判断した場合に、測定用チャートの再出力を促す情報を表示するので、構成物の状態変化が無い測定条件下で構成物の再調整を実行できるようになる。
【００３８】
請求項６に係る画像形成装置によれば、構成物の複数の調整の項目に対し、一以上の項目で調整を実施しないと判断した場合であって、指示操作入力に基づいて構成物で調整可能な項目のみの調整を実施するか否かを判断するので、構成物の状態変化が伴った測定条件下であっても、特定の構成物の調整を実行できるようになる。
【図面の簡単な説明】
【００３９】
【図１】本発明に係る実施形態としてのカラー複写機１００の構成例を示す概念図である。
【図２】カラー複写機１００の制御系の構成例を示すブロック図である。
【図３】第１の実施例に係る調整メニュー画面Ｐ１１の表示例を示す説明図である。
【図４】マシン調整用画面Ｐ１２の表示例を示す説明図である。
【図５】プリンタ調整用画面Ｐ１３の表示例を示す説明図である。
【図６】出力用画面Ｐ１４の表示例を示す説明図である。
【図７】測定用チャート４０の構成例を示す概要図である。
【図８】プリンタ調整用画面Ｐ１３上のポップアップ画面Ｐ１５の表示例を示す説明図である。
【図９】調整結果用画面Ｐ１６の表示例を示す説明図である。
【図１０】第１の実施例に係るカラー複写機１００の調整例を示すフローチャートである。
【図１１】第２の実施例に係るカラー複写機１００の調整例を示すフローチャートである。
【図１２】カラー複写機１００における手動調整例を示すフローチャートである。
【図１３】片寄り調整用画面Ｐ２１の表示例を示す説明図である。
【発明を実施するための形態】
【００４０】
以下、図面を参照しながら、この発明の実施形態に係る画像形成装置及び画像形成方法について説明をする。図１に示すカラー複写機１００は画像形成装置の一例を構成し、出力指示操作に対応して、測定用チャート４０（図６参照）を出力する機能を有している。ここに測定用チャート４０とは、当該複写機内の機械を含む構成物を調整するための被測定画像を形成したシート部材（以下で用紙Ｐという）をいう。被測定画像には、例えば、複数の横線（水平線）や、縦線（垂直線）等の基線画像が含まれる。基線画像は、機械の各調整項目毎に太さが異なっている。
【００４１】
カラー複写機１００は、少なくとも、二色以上で構成されるカラー画像を連続して形成可能な装置である。カラー複写機１００は、操作表示部４８、複写機本体１０１と画像読取装置（以下スキャナ１０２という）から構成される。スキャナ１０２は複写機本体１０１の上部に設置されており、自動原稿送り装置２０１及び原稿画像走査露光装置２０２から構成される。自動原稿送り装置２０１の原稿台上に載置された、例えば、色付きの原稿３０は、図示しない搬送部により搬送される。
【００４２】
原稿３０は、原稿画像走査露光装置２０２の光学系により、その片面又は両面の画像が走査露光され、カラー原稿画像を反映する入射光がラインイメージセンサ（以下ＣＣＤ１１という）により読み込まれる。ＣＣＤ１１により光電変換されたカラー用のアナログ画像信号は、スキャナ１０２において、アナログ処理、アナログ・ディジタル（Ａ／Ｄ）変換、シェーディング補正及び画像圧縮処理等がなされ、デジタルのカラー用の画像データＤINとなる（図２参照）。
【００４３】
複写機本体１０１は、タンデム型のカラー複写機１００を構成し、当該複写機内の機械を含む構成物の一例となる、本体扉（図示せず）、無終端状の中間転写ベルト６、二次転写ローラ７Ａ、画像形成ユニット１０Ｙ，１０Ｍ，１０Ｃ，１０Ｋ、定着装置１７及び用紙供給部２０（以下でこれらを総称して単に機械という）を備えている。画像形成ユニット１０Ｙ，１０Ｍ，１０Ｃ，１０Ｋは、画像形成部（以下プリンタ８０という）を構成する。この例では、操作表示部４８からの出力指示操作に対応して測定用チャート４０を形成して出力する（図７参照）。
【００４４】
イエロー（Ｙ）色のトナー像を形成する画像形成ユニット１０Ｙは、Ｙ色用の感光体ドラム１Ｙ、帯電器２Ｙ、画像書き込み部３Ｙ、現像器４Ｙ及びクリーニング部８Ｙを有して構成されている。この例では、中間転写ベルト６を基準にして、感光体ドラム１Ｙの周囲には、反時計回りに、クリーニング部８Ｙ、帯電器２Ｙ、画像書き込み部３Ｙ及び現像器４Ｙが配置されている。
【００４５】
感光体ドラム１Ｙは回転軸及び所定のドラム幅を有して、中間転写ベルト６に近接して回転自在に配置されている。感光体ドラム１ＹにはＹ色作像用の画像データに基づく静電潜像が書き込まれる。感光体ドラム１Ｙには有機感光体（Organic Photo Conductor；ＯＰＣ）ドラムが使用される。感光体ドラム１Ｙの外周部位の所定の位置には、帯電器２Ｙが配置されている。帯電器２Ｙは感光体ドラム１Ｙを所定の電位で帯電する。
【００４６】
この例で、帯電器２Ｙと現像器４Ｙとの間にビーム光路を有して感光体ドラム１Ｙに対峙した位置には画像書き込み部３Ｙが配置されている。画像書き込み部３ＹはＹ色作像用の画像データに基づいて感光体ドラム１Ｙを露光する。
【００４７】
画像書き込み部３Ｙは、Ｙ色作像用の画像データに基づいてレーザービーム光を発生して感光体ドラム１Ｙを露光する。Ｙ色作像用の画像データは制御部１５から画像書き込み部３Ｙへ供給される。画像書き込み部３Ｙは、レーザービーム光を多面鏡で走査するポリゴンミラー走査方式のレーザービーム書き込みユニットや、レーザーダイオード素子をライン状に配置して一括又は分けて露光するＬＰＨ（ＬＤ  Printer  Head）書き込みユニットが使用される。例えば、ポリゴンミラー走査方式の画像書き込み部３Ｙでは、レーザービーム光が感光体ドラム１Ｙの走査露光を開始する点をインデックス位置としたとき、当該インデックス位置に基づいて設定された画像書き出し開始位置を基準にしてＹ色用の静電潜像を形成するようになる。
【００４８】
中間転写ベルト６と画像書き込み部３Ｙとの間であって、感光体ドラム１Ｙの外周部位の所定の位置には現像器４Ｙが配置される。現像器４Ｙには、反転現像を行うために、使用するトナー極性と同極性（本実施例においては負極性）の直流電圧に、交流電圧を重畳した現像バイアスが印加される。現像器４Ｙは現像バイアスの供給を受けて、感光体ドラム１Ｙに書き込まれた静電潜像をＹ色のトナー部材で現像する。現像後のＹ色のトナー像は感光体ドラム１Ｙから中間転写ベルト６に転写される（一次転写）。Ｙ色のトナー像は、中間転写ベルト６上で他の色のトナー像と重ね合わされてカラートナー像となる。
【００４９】
中間転写ベルト６と帯電器２Ｙとの間であって、感光体ドラム１Ｙの外周部位の所定の位置には、クリーニング部８Ｙが設けられる。クリーニング部８Ｙは、一次転写後の感光体ドラム１Ｙに残留したトナー部材をクリーニングする。上述の感光体ドラム１Ｙの下方には中間転写ベルト６に沿って画像形成ユニット１０Ｍ，１０Ｃ，１０Ｋが配置されている。マゼンタ（Ｍ）色の画像を形成する画像形成ユニット１０Ｍは、Ｍ色用の感光体ドラム１Ｍ、帯電器２Ｍ、画像書き込み部３Ｍ、現像器４Ｍ及びクリーニング部８Ｍを有して構成される。シアン（Ｃ）色の画像を形成する画像形成ユニット１０Ｃは、Ｃ色用の感光体ドラム１Ｃ、帯電器２Ｃ、画像書き込み部３Ｃ、現像器４Ｃ及びクリーニング部８Ｃを有して構成される。
【００５０】
黒（ＢＫ）色の画像を形成する画像形成ユニット１０Ｋは、Ｋ色用の感光体ドラム１Ｋ、帯電器２Ｋ、画像書き込み部３Ｋ、現像器４Ｋ及びクリーニング部８Ｋを有して構成される。なお、画像形成ユニット１０Ｍ，１０Ｃ，１０Ｋの内部構成及び機能については、上述の画像形成ユニット１０Ｙにおいて、ＹをＭ，Ｃ，ＢＫにそれぞれ読み替えて参照されたい。
【００５１】
感光体ドラム１Ｙ，１Ｍ，１Ｃ，１Ｋに接触可能に配置された中間転写ベルト６は、複数のローラにより巻回され、回動可能に支持される。中間転写ベルト６には、各々の感光体ドラム１Ｙ，１Ｍ，１Ｃ，１Ｋで形成されたＹ色、Ｍ色、Ｃ色、Ｋ色の各トナー像が転写される（一次転写）。中間転写ベルト６の下方位置には二次転写ローラ７Ａが設けられる。二次転写ローラ７Ａは中間転写ベルト６上で重ね合わされたカラートナー像を所定の用紙Ｐに転写する（二次転写）。カラートナー像が転写された後の用紙Ｐを記録紙Ｐ’ともいう。
【００５２】
上述の二次転写ローラ７Ａに隣接して定着装置１７が配置される。定着装置１７は、記録紙Ｐ’を受け入れ、二次転写されたカラー画像を定着する。定着装置１７は、図示しない定着ローラ、加圧ローラ、加熱（ＩＨ）ヒータや、定着クリーニング部等を有している。定着処理は、加熱ヒータによって加熱される定着ローラ及び加圧ローラの間に記録紙Ｐ’を通過させることで、当該記録紙Ｐ’が加熱・加圧される。カラー画像が定着された記録紙Ｐ’は、排紙ローラ２４に挟持されて機外の排紙トレイ２５上に排出される。
【００５３】
この例で、中間転写ベルト６の左側上方にはクリーニング部８Ａが設けられ、転写後の中間転写ベルト６上に残存するトナー剤をクリーニングするように動作する。クリーニング部８Ａは、中間転写ベルト６の電荷を除電する除電部（図示せず）や中間転写ベルト６に残留するトナー等を除去するパッドを有している。このクリーニング部８Ａによってベルト面がクリーニングされ、除電部で除電された後の中間転写ベルト６は、次の画像形成サイクルに入る。
【００５４】
上述のプリンタ８０（画像形成系）の下方には用紙供給部２０が設けられ、プリンタ８０へ用紙Ｐを（搬送）給紙する。用紙供給部２０は、例えば、３つの給紙トレイ２０Ａ，２０Ｂ，２０Ｃを備えている。用紙供給部２０から画像形成ユニット１０Ｋの下方に至る用紙搬送路には、搬送ローラ２２Ａ，２２Ｂ、ループローラ２２Ｃ、レジストローラ２３等が設けられている。この例で、用紙供給部２０から繰り出された用紙Ｐは、搬送ローラ２２Ａ，２２Ｂ、ループローラ２２Ｃを介して、画像形成ユニット１０Ｋの下方であって、レジストローラ２３で一旦停止され、所定のタイミングに基づいて中間転写ベルト６の下方（二次転写位置）に搬送される。これらにより、カラー複写機１００の機械系を構成する。
【００５５】
続いて、図２を参照して、カラー複写機１００の制御系の構成例について説明する。図２に示すカラー複写機１００は、測定用チャート４０を形成して出力し、スキャナ１０２で測定用チャート４０を読み取った結果から調整値を決定し、機械等を調整するために、制御部１５、画像処理手段１６、用紙供給部２０、操作表示部４８、プリンタ８０及びスキャナ１０２を有して構成される。測定用チャート４０から決定する調整値は、画像の主走査方向（横）及び副走査方向（縦）の倍率や、画像書き出しタイミング、用紙搬送系における用紙Ｐの片寄り等を補正するための調整量である。ここに主走査方向とは、用紙搬送方向（副走査方向）と直交する方向である。副走査方向とは、感光体ドラム１Ｙ等の回転方向であって、用紙搬送方向でもある。
【００５６】
操作表示部４８は操作部及び表示部の一例を構成し、当該複写機内の機械を調整するための複数の項目を表示したり、測定用チャート４０の出力を指示するように操作される。操作表示部４８は、操作部１４及び表示部１８を有して構成される。操作部１４は自動調整モードや、通常動作モード時の画像形成条件等を設定するように操作される。自動調整モードとは、測定用チャート４０を使用して当該複写機内の機械を自動調整する動作をいう。通常動作モードとは自動調整モード以外の動作であって、ユーザが設定した画像形成条件等に基づいて所定の紙サイズの用紙に画像を形成する動作をいう。
【００５７】
画像形成条件としては、片面印字モード又は両面印刷モード等が設定される。操作表示部４８は、タッチパネルと液晶表示装置（ＬＣＤ）から構成される。操作表示部４８にはＧＵＩ（Graphic User Interface）方式の入力手段が使用される。もちろん、操作表示部４８は片面印字モード又は両面印刷モードの設定の他に給紙トレイ２０Ａ〜２０Ｃを選択する際に操作される。
【００５８】
例えば、用紙Ｐの種類（紙種）や紙サイズを選択したり、当該用紙Ｐが収納されている給紙トレイ２０Ａ〜２０Ｃを選択する際に、操作表示部４８が操作され、画像形成条件が設定される。操作表示部４８で設定された画像形成条件や給紙トレイ選択情報等は、操作データＤ１４となってＣＰＵ５５に出力される。画像形成条件等は表示データＤ１８に基づいて表示部１８に表示される。表示データＤ１８はＣＰＵ５５から操作表示部４８に出力される。
【００５９】
表示部１８には、図３に示すような調整メニュー画面Ｐ１１、図４に示すようなマシン調整用画面Ｐ１２、図５に示すようなプリンタ調整用画面Ｐ１３、図６に示すような出力用画面Ｐ１４、及び、図９に示すような調整結果用画面Ｐ１６が表示される。プリンタ調整用画面Ｐ１３には、図８に示すようなポップアップ画面Ｐ１５も表示される。
【００６０】
操作表示部４８には制御部１５が接続される。制御部１５は、状態変化検出部５１、状態変化記憶部５２、画像メモリ５３、不揮発メモリ５４、画像制御ＣＰＵ５５、ＤＲＡＭ制御ＩＣ５６、圧縮／伸長ＩＣ５７、読出処理部５８、書込処理部５９、コントローラＩＣ７１、固定磁気ディスク（以下ＨＤＤ７２という）及びデータバス７３を有して構成される。
【００６１】
状態変化検出部５１は、少なくとも、プリンタ８０によって形成された測定用チャート４０の出力後から当該測定用チャート４０の読み込みに至る間の機械の状態変化を検出する。ここに機械の状態変化とは、例えば、自動調整モードが選択されているにも係わらず、各項目の機械調整を手動で行った、本体扉を開けてしまった、給紙トレイ２０Ａ等を操作して用紙を交換した等のユーザの行為により、測定用チャート４０を読み取るまでの機械の動作条件が変化したことをいう。これは本体扉を開けて、物理的に中間転写ベルト６等の調整を実施した等が想定されるためである。状態変化検出部５１にはドア開閉検知用のセンサが使用され、当該センサが複写機本体１０１の本体扉（不図示）の開閉動作を検知して扉開閉データを画像制御ＣＰＵ５５に出力する。
【００６２】
また、状態変化検出部５１は、給紙トレイ２０Ａの引き出し操作を検出してトレイ引出データを画像制御ＣＰＵ５５に出力する。扉開閉データや、トレイ引出データ等は、画像制御ＣＰＵ５５の制御を受けて状態変化記憶部５２に記憶される。もちろん、状態変化検出部５１は、操作表示部４８に表示されたプリンタ調整用画面Ｐ１３（図５）で、前画面を選択するボタンＢ９が押下操作された場合に、その押下操作を検出して、前画面に戻るを示すボタン操作データが画像制御ＣＰＵ５５に出力される。
【００６３】
状態変化記憶部５２には、プリンタ８０が測定用チャート４０を形成して出力した際に当該測定チャート４０を印字出力したこと示す情報が記憶される。この他に、状態変化記憶部５２には、状態変化検出部５１によって検出された機械の状態変化を示す情報、上述した例によれば、画像制御ＣＰＵ５５の制御を受けて扉開閉データや、トレイ引出データ、前画面ボタン操作データ等が記憶される。この記憶動作は、前画面を選択するボタンが操作されて当該調整用画面から自動調整モードを抜けてしまうと、自動調整モードで本来、調整する項目に対し、手動調整で個別に機械調整された場合が想定され、その後、測定用チャート４０を読み取っても正確な調整結果が得られないためである。
【００６４】
状態変化検出部５１で検出可能な本体扉が開けられた場合や、複写機内部の中間転写ベルト６を物理的に調整された場合、給紙トレイ２０Ａ等を引き出された場合、紙種や紙サイズが変更された場合等が想定され、これらの想定される事項が行われた後に、測定用チャート４０を読み取っても正確な調整結果が得られないからである。これらの想定される事項を自動調整モードの実行に反映させることで、中間転写ベルト６、二次転写ローラ７Ａ、画像形成ユニット１０Ｙ，１０Ｍ，１０Ｃ，１０Ｋ、定着装置１７及び用紙供給部２０等の機械の調整項目である画像の縦、横の倍率や、画像書き出しタイミング、片寄りを調整する際に、真値に誤差を含むような影響を除去できるようになる。
【００６５】
画像制御ＣＰＵ５５は、状態変化記憶部５２に記憶された機械の状態変化を示す情報に基づいて測定用チャート４０の読み取りを許可するか否かを判断し、その判断結果に基づいてスキャナ１０２を制御する。例えば、画像制御ＣＰＵ５５は、測定用チャート４０の出力から読み取りに至る間に、機械の状態変化に基づき自動調整モードを実施するか否かを判断し、当該機械に状態変化があった場合は、スキャナ１０２の読み取りを不許可として自動調整モードを未実施とする。
【００６６】
また、当該機械に状態変化があった場合であって、スキャナ１０２の読み取りを許可した場合でも、複数の調整項目から一部のフィードバック制御（ＦＢ）を実施し、一部でもフィードバック制御に不可があれば、すべてやり直し、または、ユーザの判断を受け付けるように動作する。機械に状態変化が無かった場合は、画像制御ＣＰＵ５５が読み込みを許可したスキャナ１０２によって読み取られる測定用チャート４０のチャート取得データＤ４０から機械の調整量を算出し、機械の一以上の項目の調整を行う。この結果に基づいて、機械の状態変化が無かった測定条件下で、機械の調整を正確に実行できるようになる。
【００６７】
なお、画像処理手段１６は、コントローラＩＣ６１、ＤＲＡＭ制御ＩＣ６２、画像メモリ６３、ＬＡＮ制御部６４及びＬＡＮＩＦ部６５を有して構成される。ＬＡＮＩＦ部６５の一端は外部機器、例えば、パーソナルコンピュータ（以下パソコン２００という）に接続される。ＬＡＮＩＦ部６５の他端はＬＡＮ制御部６４の一端に接続される。
【００６８】
ＬＡＮ制御部６４の他端は、ＤＲＡＭ制御ＩＣ６２の一端に接続される。ＤＲＡＭ制御ＩＣ６２の他端は、データバス７３に接続される。ＤＲＡＭ制御ＩＣ６２は更にコントローラＩＣ６１及び画像メモリ６３に接続される。画像処理手段１６では、ＬＡＮＩＦ部６５及びＬＡＮ制御部６４を介してパソコン２００から受信した画像データＤINをＤＲＡＭ制御ＩＣ６２に転送する。ＤＲＡＭ制御ＩＣ６２は、コントローラＩＣ６１の制御を受けて画像メモリ６３に一旦記憶する。
【００６９】
データバス７３にはコントローラＩＣ７１及びＤＲＡＭ制御ＩＣ５６が接続される。コントローラＩＣ７１にはＨＤＤ７２が接続される。コントローラＩＣ７１は、画像処理手段１６から転送を受けた画像データＤINを一旦、ＨＤＤ７２に記憶する。
【００７０】
ＤＲＡＭ制御ＩＣ５６には、上述の画像制御ＩＣ５５の他に画像メモリ５３、圧縮／伸長ＩＣ５７、読出処理部５８及び書込処理部５９が接続される。圧縮／伸長ＩＣ５７はＤＲＡＭ制御ＩＣ５６の制御を受けて画像データＤINを圧縮したり、画像データＤINを伸長する。読出処理部５８は画像メモリ５３から圧縮／伸長ＩＣ５７へ圧縮された画像データＤINを読み出す。
【００７１】
書込処理部５９は、圧縮された画像データＤINを圧縮／伸長ＩＣ５７から画像メモリ５３へ書き込む。画像メモリ５３は、圧縮メモリ３１及びページメモリ３２を有して構成される。圧縮メモリ３１には、圧縮された画像データＤINが記憶される。ページメモリ３２には、１ページ分の画像データＤINが記憶される。なお、不揮発メモリ５４には当該複写機固有のデータが記憶される。
【００７２】
また、用紙供給部２０は、操作表示部４８からの指示操作に基づいて給紙トレイ２０Ａ等を選択し、所定の紙サイズの用紙Ｐをプリンタ８０へ搬送する。給紙トレイ２０Ａ等は、通常動作モードの他に自動調整モードや手動調整時等に選択される。
【００７３】
プリンタ８０は、図１に示した画像書き込み部３Ｙ，３Ｍ，３Ｃ，３Ｋ等を構成するレーザダイオード（以下ＬＤ８１という）や、プリンタ制御部８２等を含み構成される。用紙供給部２０から供給される所定の用紙Ｐに被測定画像を形成して測定用チャート４０を出力する。
【００７４】
スキャナ１０２は、図１に示した原稿画像走査露光装置２０２を構成するラインイメージセンサ（以下ＣＣＤ１１という）や、スキャナ制御部１２等を含み構成される。ＣＣＤ１１は、操作表示部４８からの出力指示操作及び画像制御ＣＰＵ５５の制御に対応して測定用チャート４０を読み取ってチャート取得データＤ４０を画像メモリ５３等に出力する。これらにより、カラー複写機１００の制御系を構成する。
【実施例１】
【００７５】
続いて、図３〜図１０を参照して、第１の実施例に係るカラー複写機１００の機械調整例について説明する。図３に示す調整メニュー画面Ｐ１１は、図２に示した操作表示部４８に表示される。調整メニュー画面Ｐ１１によれば、メッセージ用の表示領域Ｉが設けられ、表示領域Ｉには、「マシン調整メニュー」の文字情報の他に「項目を選んでください」等のメッセージ文が表示される。この表示領域Ｉの下方には上位項目の表示領域II及び下位項目の表示領域IIIが割り当てられている。
【００７６】
表示領域IIには、「サービス」及び「マシン調整」の上位項目が表示される。「サービス」及び「マシン調整」には、各々選択用のボタンが設定されている。この例では、操作表示部４８の画面上で、「マシン調整」を選択するボタンＢ１を操作（タッチ）すると、背景色が切り替わる。例えば、「マシン調整」の背景色が白黒表示（図中で白抜き）から緑色表示（図中では斜線で示す）なる。
【００７７】
これと共に表示領域IIに隣接する表示領域IIIには、「０１  プリンタ調整」、「０２  スキャン調整」、「０３  画質調整」及び「０４  工程自動調整」等の「マシン調整」に関する下位項目が表示される。なお、表示領域IIの下方には「終了」を選択するボタンＢ２や、表示領域IIIの下方には「閉じる」を選択するボタンＢ３が設けられている。ボタンＢ１〜Ｂ３はアイコンスイッチを構成する。これらにより、調整メニュー画面Ｐ１１を構成し、当該調整メニュー画面Ｐ１１において、自動調整モード又は手動調整時に調整機械の上位項目やその下位項目を選択できるようになる。
【００７８】
図４に示すマシン調整用画面Ｐ１２は、図３に示した調整メニュー画面Ｐ１１において、「０１  プリンタ調整」を選択すると、表示画面が切り替えられて操作表示部４８に表示される。マシン調整用画面Ｐ１２によれば、調整メニュー画面Ｐ１１と同様にして、表示領域Ｉには「マシン調整メニュー」の文字情報の他に「項目を選んでください」等のメッセージが表示される。
【００７９】
表示領域IIには、「サービス」、「マシン調整」及び「プリンタ調整」の上位項目が表示される。「サービス」、「マシン調整」及び「プリンタ調整」には、各々選択用のボタンが設定されている。この例では、操作表示部４８の画面上で、「プリンタ調整」を選択するボタンＢ４を操作（タッチ）すると、背景色が白黒表示（図中で白抜き）から緑色表示（図中では斜線で示す）なる。
【００８０】
これと共に表示領域IIに隣接する表示領域IIIには、「０１  先端タイミング調整」、「０２  片寄り調整」、「０３  通紙方向倍率調整」、「０４  通紙交差方向倍率」、「０５  先端イレーズ調整」、「０６  レジストループ量調整」、「０７  プレレジスト量調整」、「０８  ベルト線速調整」、「０９  書込み初期位置メモリ」、「１０  カラーレジスト自動調整」、「１１  カラーレジストズレ測定／手動調整」、「１２  ＰＦＵ重送検知調整」、「１３  通紙交差方向傾き調整」、「１４  ビームピッチ調整」、「１５  モアレ調整」及び、「１６  レジストループ量調整」等の「プリンタ調整」に関する下位項目が表示される。
【００８１】
なお、マシン調整用画面Ｐ１２においても、「終了」を選択するボタンＢ２や、「閉じる」を選択するボタンＢ３が設けられている。これらにより、マシン調整用画面Ｐ１２を構成し、当該マシン調整用画面Ｐ１２において、プリンタ調整時にプリンタ８０の下位項目を選択できるようになる。
【００８２】
図５に示すプリンタ調整用画面Ｐ１３は、図４に示したマシン調整用画面Ｐ１２において、「閉じる」を選択するボタンＢ３を操作すると、表示画面が切り替えられて操作表示部４８に表示される。プリンタ調整用画面Ｐ１３によれば、表示領域Ｉには「プリンタ調整」の文字情報の他に「１／４＜トレイ１＞普通紙  スキャン回数：０」等のメッセージ文が表示される。
【００８３】
これと共に表示領域Ｉの下方に隣接する表示領域IVには、「調整項目」、「状態」、「調整値」等の項目欄が設けられる。調整項目欄には、「歪み（対角）」、「歪み（主走査）」、「歪み（副走査）」、「傾き（主走査）」、「傾き（副走査）」、「たて倍」、「よこ倍」、「タイミング」、「片寄り（トレイ１）」、「片寄り（トレイ２）」及び、「片寄り（トレイ３）」等のプリンタ調整に関する調整項目が表示される。
【００８４】
状態欄には、歪み（対角）に対して「ＯＫ」、歪み（主走査）に対して「ＯＫ」、歪み（副走査）に対して「ＯＫ」、傾き（主走査に対して「ＯＫ」、傾き（副走査）に対して「ＯＫ」、たて倍に対して「ＯＫ」、よこ倍に対して「ＯＫ」、タイミングに対して「ＯＫ」及び、片寄り（トレイ１）に対して「ＯＫ」が表示され、片寄り（トレイ２）及び、片寄り（トレイ３）に対して「未調整」が表示される。
【００８５】
調整値欄には、たて倍に対して「＋０」、よこ倍に対して「＋０」、タイミングに対して「＋０」及び、片寄り（トレイ１）に対して「＋０」が表示される。なお、プリンタ調整用画面Ｐ１３の表示領域IVの下方には、「前項目」を選択するボタンＢ４や、「次項目」を選択するボタンＢ５、「印刷モードへ」を選択するボタンＢ６や、「再調整」を選択するボタンＢ７、「スキャン」を選択するボタンＢ８や、「前画面」を選択するボタンＢ９が設けられている。これらにより、プリンタ調整用画面Ｐ１３を構成し、当該プリンタ調整用画面Ｐ１３において、自動調整モード実行時のプリンタ８０を調整する項目を表示するようになされる。
【００８６】
図６に示す出力用画面Ｐ１４は、図５に示したプリンタ調整用画面Ｐ１３において、例えば、「印刷モードへ」を選択するボタンＢ６を選択すると、表示画面が切り替わって操作表示部４８に表示される。出力用画面Ｐ１４によれば、表示領域Ｉには「プリントできます」の文字情報の他に「設定部数  ０００１」等のメッセージが表示される。
【００８７】
表示領域Ｉの下方に隣接する表示領域Vには、「原稿設定」、「画質調整」、「倍率設定」、「片面／両面」、「応用設定」、「出力設定」、「カラー」、「用紙」等の画像形成条件の項目欄が設けられる。原稿設定の項目欄には「連続読み取り」、「原稿セット方向」が表示される。この例では、操作表示部４８の画面上で、原稿セット方向の項目欄で、「上向き」を選択するボタンＢ１０が操作（タッチ）された状態である。「上向き」の背景色は例えば、緑色に表示（図中では斜線で示す）される。
【００８８】
倍率設定の項目欄には「−」、「＋」、「等倍」、「4.000」、「2.000」、「自動倍率」等の詳細設定項目が表示される。この例では、操作表示部４８の画面上で、倍率設定の項目欄で「等倍」を選択するボタンＢ１１が操作（タッチ）された状態である。「等倍」の背景色は例えば、緑色に表示（図中では斜線で示す）される。片面／両面の項目欄には「片面→両面」、「両面→片面」、「両面→両面」、「片面→片面」等の詳細設定項目が表示される。この例では、操作表示部４８の画面上で、片面／両面の項目欄で「片面→片面」を選択するボタンＢ１２が操作（タッチ）された状態である。「片面→片面」の背景色は例えば、緑色に表示（図中では斜線で示す）される。
【００８９】
カラーの項目欄には「モノカラー」、「ブラック」、「フルカラー」、「オートカラー」等の詳細設定項目が表示される。この例で、カラーの項目欄で「ブラック」を選択するボタンＢ１３が下（タッチ）された状態である。「ブラック」の背景色は例えば、緑色に表示（図中では斜線で示す）される。
【００９０】
用紙の項目欄は、２つの表示領域VIａ，VIbに分割されている。表示領域VIａには、「トレイ」、「サイズ」、「名称」、「坪量」、「残量」の表示欄が設けられる。トレイ「１．」の表示欄には、サイズ「Ａ４」（用紙横向き状）、名称の表示欄には「普通紙」、坪量の表示欄には「６４−７４ｇ／ｍ２」が記述される。残量の表示欄には、例えば、「１００％満載」を示すアイコンが表示される。この例では、トレイ「１．」が選択され、その表示欄で「Ａ４、普通紙、６４−７４ｇ／ｍ２、残量１００％」を選択するボタンＢ１４が操作（タッチ）された状態である。「Ａ４、普通紙、６４−７４ｇ／ｍ２、残量１００％」の背景色は例えば、緑色に表示（図中では斜線で示す）される。
【００９１】
また、トレイ「２．」の表示欄には、サイズ「Ｂ４」（用紙横向き状）、名称の表示欄には「普通紙」、坪量の表示欄には「６４−７４ｇ／ｍ２」が記述される。残量の表示欄には、例えば、「６０％」を示すアイコンが表示される。トレイ「３．」の表示欄には、サイズ「Ａ４」（用紙縦向き状）、名称の表示欄には「普通紙」、坪量の表示欄には「６４−７４ｇ／ｍ２」が記述される。残量の表示欄には、例えば、「１００％満載」を示すアイコンが表示される。
【００９２】
トレイ「４．」の表示欄には、サイズ「8.5×１１」（用紙横向き状）、名称の表示欄には「普通紙」、坪量の表示欄には「６４−７４ｇ／ｍ２」が記述される。残量の表示欄には、例えば、「６０％」を示すアイコンが表示される。トレイ「５．」の表示欄には、サイズ「8.5×１１」（用紙縦向き状）、名称の表示欄には「普通紙」、坪量の表示欄には「６４−７４ｇ／ｍ２」が記述される。残量の表示欄には、例えば、「６０％」を示すアイコンが表示される。トレイ「６．」の表示欄には、サイズ「１２×１８」（用紙横向き状）、名称の表示欄には「普通紙」、坪量の表示欄には「６４−７４ｇ／ｍ２」が記述される。残量の表示欄には、例えば、「無し」を示すアイコンが表示される。
【００９３】
表示領域VIａに隣接する表示領域VIｂには、６つのトレイ１〜トレイ６をアイコン化したトレイ選択用のボタンが設けられている。この例では、トレイ「１．」が選択され、当該トレイ「１．」を選択するボタンＢ１５の背景色が例えば、緑色に表示（図中では斜線で示す）される。なお、アイコン表示領域の下方には「用紙設定」を選択するためのボタンＢ１６や、「自動用紙」を選択するためのボタンＢ１７が設けられている。表示領域VIｂの下方には「印刷モード終了」を選択するボタンＢ１８が表示される。これらにより、出力用画面Ｐ１４を構成し、当該出力用画面Ｐ１４において、プリンタ調整時に測定用チャート４０の画像形成条件を設定するようになされる。
【００９４】
ここで、図７を参照して、測定用チャート４０の構成例について説明する。図７に示す測定用チャート４０は、自動調整モード時、プリンタ８０がＡ４のサイズの普通紙に基線画像を形成し出力することで得られる。測定用チャート４０の右側はマスクされ、マスク領域VIを有している。これは基線画像の読み取り時、測定用チャート４０の天地を間違えないようにするためである。測定用チャート４０を読み込む際には、例えば、マスク領域VIが右側にくるようにスキャナ１０２に載置（セット）される。
【００９５】
測定用チャート４０の上部には一定間隔、例えば１ｍｍ間隔で、主走査方向に複数の横線（水平線）が引かれ、用紙Ｐの先端エッジと印字出力された横線との離隔距離が測定され、この先端エッジと横線との離隔距離の差に基づいて画像書き出しタイミングを補正するための補正値が算出される。
【００９６】
また、測定用チャート４０の左部には、一定間隔、例えば１ｍｍ間隔で、副走査方向に複数の縦線（垂直線）が引かれ、用紙Ｐの左端エッジと出力された縦線との離隔距離が測定され、左端エッジと縦線との離隔距離の差に基づいて片寄り量を補正するための補正値が算出される。
【００９７】
なお、測定用チャート４０内には４つの十字マークａ，ｂ，ｃ，ｄが印字され、この十字マークａｂ，ｂｃ，ｃｄ，ｄａ間の距離をそれぞれ計測することで、当該十字マークａｂ，ｂｃ，ｃｄ，ｄａ間の距離の計測値と、この十字マークａｂ，ｂｃ，ｃｄ，ｄａ間の距離基準値とが比較され、画像の主走査方向の横倍率及びその副走査方向の縦倍率を調整するための調整値が算出される。これらにより、測定用チャート４０が構成される。
【００９８】
ここで、図８を参照して、プリンタ調整用画面Ｐ１３上のポップアップ画面Ｐ１５について説明する。図８に示すポップアップ画面Ｐ１５は、プリンタ調整用画面Ｐ１３上にポップアップ表示される。この例で、操作表示部４８には、図５に示したようなプリンタ調整用画面Ｐ１３が表示されるが、そのプリンタ調整用画面Ｐ１３で、例えば、「前画面」を選択するボタンＢ９が操作され、機械の状態が変化したことが状態変化検出部５１によって検出される。
【００９９】
このボタンＢ９が操作されたことを示すボタン操作データが状態変化記憶部５２に記憶された場合は、スキャン用のボタンＢ８が操作されても、スキャン処理を実行（実施）しない。そして、プリンタ調整用画面Ｐ１３上には、例えば、表示領域IVに「正しく調整されない可能性があります。測定チャートを再出力して下さい」等のポップアップ画面Ｐ１５が表示され、測定用チャート４０を再出力するようなメッセージ表示がなされる。これにより、機械の状態変化が無かった測定条件下で、機械の調整を正確に実行できるようになる。
【０１００】
図９に示す調整結果用画面Ｐ１６には、自動調整モードの実行時、図５に示したプリンタ調整用画面Ｐ１３に、機械の調整結果が記述（表示）される。調整結果用画面Ｐ１６によれば、表示領域Ｉには「プリンタ調整  完了しています」の文字情報の他に「１／４＜トレイ１＞普通紙  スキャン回数：１」等のメッセージ文が表示される。
【０１０１】
これと共に表示領域Ｉの下方に隣接する表示領域IVには、「調整項目」、「状態」、「調整値」等の項目欄が設けられる。調整項目欄には、「歪み（対角）」、「歪み（主走査）」、「歪み（副走査）」、「傾き（主走査）」、「傾き（副走査）」、「たて倍」、「よこ倍」、「タイミング」、「片寄り（トレイ１）」、「片寄り（トレイ２）」及び、「片寄り（トレイ３）」等のプリンタ調整に関する調整項目が表示される。
【０１０２】
状態欄には、歪み（対角）に対して「ＯＫ」、歪み（主走査）に対して「ＯＫ」、歪み（副走査）に対して「ＯＫ」、傾き（主走査に対して「ＯＫ」、傾き（副走査）に対して「ＯＫ」、たて倍に対して「ＯＫ」、よこ倍に対して「ＯＫ」、タイミングに対して「ＯＫ」及び、片寄り（トレイ１）に対して「ＯＫ」が表示され、片寄り（トレイ２）及び、片寄り（トレイ３）に対して「未調整」が表示される。
【０１０３】
調整値欄には、例えば、たて倍に対して「＋３」、よこ倍に対して「＋２」、タイミングに対して「＋１」及び、片寄り（トレイ１）に対して「＋５」が表示される。なお、プリンタ調整用画面Ｐ１３の表示領域IVの下方には、「前項目」を選択するボタンＢ４や、「次項目」を選択するボタンＢ５、「印刷モードへ」を選択するボタンＢ６や、「再調整」を選択するボタンＢ７、「スキャン」を選択するボタンＢ８や、「前画面」を選択するボタンＢ９が設けられている。これらにより、調整結果用画面Ｐ１６を構成し、当該調整結果用画面Ｐ１６において、プリンタ調整後のプリンタ８０の調整結果を表示するようになされる。
【０１０４】
続いて、図１０を参照して、第１の実施例に係るカラー複写機１００の調整例について説明する。この実施例では、複写機内の機械を調整するための基線画像を形成して出力されるシート部材（用紙Ｐ）を測定用チャート４０としたとき、操作表示部４８は、測定用チャート４０の出力を指示するように操作される。
【０１０５】
画像制御ＣＰＵ５５は、操作表示部４８の操作に基づいて、測定用チャート４０の出力制御をすると共に、当該測定用チャート４０を印刷出力したことを記憶し、スキャナ１０２で測定用チャート４０を読み取り機械を調整する場合であって、機械の状態変化に基づき、自動調整モードを実行する／しないを判断する場合を前提とする。
【０１０６】
これらを調整条件にして、図１０に示すステップＳＴ１で、画像制御ＣＰＵ５５は、調整メニュー画面Ｐ１１を操作表示部４８に表示する。調整メニュー画面Ｐ１１には、図３に示したように、「マシン調整メニュー」の文字情報の他に「項目を選んでください」等のメッセージ文が表示される。この例では、操作表示部４８の画面上で、「マシン調整」を選択するボタンＢ１を操作（タッチ）すると、背景色が切り替わる。例えば、「マシン調整」の背景色が白黒表示（図中で白抜き）から緑色表示（図中では斜線で示す）なる。
【０１０７】
次に、ステップＳＴ２で画像制御ＣＰＵ５５は調整項目選択を受け付ける。このとき、ユーザが例えば、マシン調整を選択すると、調整メニュー画面Ｐ１１からマシン調整用画面Ｐ１２へ表示が切り替わる。マシン調整用画面Ｐ１２には、図４に示したように、「マシン調整メニュー」の文字情報の他に「項目を選んでください」等のメッセージが表示される。この例では、操作表示部４８の画面上で、「プリンタ調整」を選択するボタンＢ４を操作（タッチ）すると、背景色が白黒表示（図中で白抜き）から緑色表示（図中では斜線で示す）なる。
【０１０８】
その後、ステップＳＴ３で画像制御ＣＰＵ５５はプリンタ調整用画面Ｐ１３を表示する。プリンタ調整用画面Ｐ１３には、図５に示したように、「プリンタ調整」の文字情報の他に「１／４＜トレイ１＞普通紙  スキャン回数：０」等のメッセージ文が表示される。調整項目欄には、「歪み（対角）」、「歪み（主走査）」、「歪み（副走査）」、「傾き（主走査）」、「傾き（副走査）」、「たて倍」、「よこ倍」、「タイミング」、「片寄り（トレイ１）」、「片寄り（トレイ２）」及び、「片寄り（トレイ３）」等のプリンタ調整に関する調整項目が表示される。各調整項目に関して、調整の状態が「未調整」と表示され、現在の調整値が表示されている。初期状態では全て「未調整」が表示される。
【０１０９】
そして、ステップＳＴ４で画像制御ＣＰＵ５５は前画面を選択するボタンＢ９又はモードを選択するボタンの操作に対応して制御を分岐する。この例では、ユーザによって前画面を選択するボタンＢ９が操作されると、プリンタ調整用画面Ｐ１３からマシン調整用画面Ｐ１２へ表示が戻るようになされる。自動調整モードを設定する場合を前提としているので、何らかのモードを選択するボタンが操作される。この例では、読み取りモードを指示するボタンは、スキャンを選択するボタンＢ８である。チャート出力モードを指示するボタンは、印刷モードを選択するボタンＢ６である。
【０１１０】
ステップＳＴ５で画像制御ＣＰＵ５５は、チャート出力モード又は読み取りモードの選択に対応して制御を分岐する。上述のプリンタ調整用画面Ｐ１３で、印刷モード（チャート出力モード）を選択するボタンＢ６が操作された場合は、ステップＳＴ６に移行し画像制御ＣＰＵ５５はプリンタ調整用画面Ｐ１３から出力用画面Ｐ１４へ遷移するように表示を切り替える。
【０１１１】
出力用画面Ｐ１４には、図６に示したように、「プリントできます」の文字情報の他に「設定部数  ０００１」等のメッセージが表示される。その下方には、「原稿設定」、「画質調整」、「倍率設定」、「片面／両面」、「応用設定」、「出力設定」、「カラー」、「用紙」等の画像形成条件の項目欄が設けられる。原稿設定の項目欄には「連続読み取り」、「原稿セット方向」が表示される。この例では、操作表示部４８の画面上で、原稿セット方向の項目欄で、「上向き」を選択するボタンＢ１０が操作（タッチ）された状態である。「上向き」の背景色は例えば、緑色に表示（図中では斜線で示す）される。
【０１１２】
その後、ステップＳＴ７で画像制御ＣＰＵ５５は測定用チャート４０の出力処理を実行する。このとき、プリンタ８０は操作表示部４８からの出力指示操作に対応して測定用チャート４０を出力する。例えば、プリンタ８０は図示しない印刷スタートボタン（ハードキー）の操作（押下）に基づいて、図７に示したようなＡ４のサイズの普通紙に基線画像を形成して測定用チャート４０を出力する。
【０１１３】
そして、ステップＳＴ８で画像制御ＣＰＵ５５は、状態変化に関する情報の記録をクリアする。状態変化に関する情報の記録クリア後、図示しない状態変化検出ルーチンでは、状態変化検出部５１が本体扉が空けられた等の状態変化を検出する。状態変化検出部５１は、測定用チャート４０を出力した後から当該測定用チャート４０の読み込みに至る間の機械の状態変化を検出して状態変化記憶部５２に記憶する。
【０１１４】
その後、ステップＳＴ３に戻って、画像制御ＣＰＵ５５はプリンタ調整用画面Ｐ１３を再び表示する。プリンタ調整用画面Ｐ１３は操作表示部４８に表示される。なお、プリンタ調整用画面Ｐ１３では測定用チャート４０が出力されるまでは、スキャンを選択するボタンＢ８は網掛けとなり、スキャンを実行できないようになっている（図５参照）。
【０１１５】
そして、ステップＳＴ４で画像制御ＣＰＵ５５は前画面を選択するボタンＢ９又はモードを選択するボタンの操作に対応して制御を分岐する。スキャン（読み取りモード）を選択するボタンＢ８が操作された場合は、ステップＳＴ９で画像制御ＣＰＵ５５は状態変化に関する情報を参照するべく、状態変化記憶部５２への情報読み出し（アクセス）を実行する。
【０１１６】
その後、ステップＳＴ１０で画像制御ＣＰＵ５５は状態変化の有無に基づいて制御を分岐する。このとき、画像制御ＣＰＵ５５は、状態変化記憶部５２に記憶された機械の状態変化を示す情報を読み出し、スキャナ１０２に対して、測定用チャート４０の読み込みを許可するか否かを判断する。
【０１１７】
状態変化無しの場合は、ステップＳＴ１１で画像制御ＣＰＵ５５は測定用チャート４０の読み取り処理を実行する。このとき、ユーザは読み込みが許可されたスキャナ１０２に測定用チャート４０を載置する。測定用チャート４０は、図７に示したマスク領域VIが右側にくるようにスキャナ１０２に載置（セット）するようになされる。ユーザは、図５に示したプリンタ調整用画面Ｐ１３でスキャン用のボタンＢ８を押下する。スキャナ１０２は、スキャン用のボタンＢ８が選択されたことで、測定用チャート４０を読み取ってチャート取得データＤ４０を出力する。
【０１１８】
そして、ステップＳＴ１２で画像制御ＣＰＵ５５は調整値を算出する。このとき、画像制御ＣＰＵ５５は、読み込みが許可されたスキャナ１０２が読み取った測定用チャート４０のチャート取得データＤ４０から機械の調整量を算出する。この例では、測定用チャート４０の左端エッジと出力された縦線との離隔距離が測定され、その左端エッジと縦線との離隔距離の差が演算され、この差分に基づいて片寄り量を補正するための補正値が算出される。
【０１１９】
また、測定用チャート４０内に印字された４つの十字マークａ，ｂ，ｃ，ｄの各々の十字マークａｂ，ｂｃ，ｃｄ，ｄａ間の距離がそれぞれ計測され、当該十字マークａｂ，ｂｃ，ｃｄ，ｄａ間の距離の計測値と、この十字マークａｂ，ｂｃ，ｃｄ，ｄａ間の距離基準値とが比較され、画像の主走査方向の横倍率及びその副走査方向の縦倍率を調整するための調整値が算出される。これにより、当該機械の一以上の項目の調整を実行できるようになる。
【０１２０】
その後、ステップＳＴ１３で画像制御ＣＰＵ５５は計算された各々の調整値に基づいて機械の自動調整を実行する。このとき、画像制御ＣＰＵ５５では、機械の一以上の項目の調整を実行し、操作表示部４８に調整結果を表示するように制御する。調整結果用画面Ｐ１６には、図９に示したように、「プリンタ調整  完了しています」の文字情報の他に「１／４＜トレイ１＞普通紙  スキャン回数：１」等のメッセージ文が表示される。
【０１２１】
この下方には、「調整項目」、「状態」、「調整値」等の項目欄が設けられる。調整項目欄には、「歪み（対角）」、「歪み（主走査）」、「歪み（副走査）」、「傾き（主走査）」、「傾き（副走査）」、「たて倍」、「よこ倍」、「タイミング」、「片寄り（トレイ１）」、「片寄り（トレイ２）」及び、「片寄り（トレイ３）」等のプリンタ調整に関する調整項目が表示される。その調整値の欄には、例えば、たて倍に対して「＋３」、よこ倍に対して「＋２」、タイミングに対して「＋１」及び、片寄り（トレイ１）に対して「＋５」が表示される。
【０１２２】
この例で、調整結果用画面Ｐ１６に調整値が表示された以降は、自動調整された結果の下で調整内容が出力される。状態の欄の項目もＯＫとなる。手動による調整がない項目は、調整値が表示されず、ＯＫのみが表示される（図９参照）。その後、ステップＳＴ１６に移行する。
【０１２３】
また、上述のステップＳＴ４で前画面を選択するボタンＢ９が操作（タッチ）された場合は、ステップＳＴ１５で画像制御ＣＰＵ５５は状態変化を記録するように状態変化検出部５１を制御する。状態変化検出部５１は、ボタンＢ９が操作されたことを示すボタン操作データを状態変化記憶部５２に記憶する。その後、ステップＳＴ１６に移行する。
【０１２４】
なお、上述のステップＳＴ１０で状態変化が有った場合は、ステップＳＴ１４に移行して画像制御ＣＰＵ５５はポップアップ画面Ｐ１５を表示する。ポップアップ画面Ｐ１５は、図８に示したようにプリンタ調整用画面Ｐ１３上にポップアップ表示される。ポップアップ画面Ｐ１５には、「正しく調整されない可能性があります。測定チャートを再出力して下さい」等が表示され、測定用チャート４０を再出力するように促される。その後、ステップＳＴ１６に移行する。
【０１２５】
ステップＳＴ１６では、画像制御ＣＰＵ５５が自動調整モードの終了判別を実行する。その際の判別基準は、例えば、調整結果用画面Ｐ１６で、再調整を選択するボタンＢ７の操作や、次項目を選択するボタンＢ５の操作を検出することにより、終了判別を行う。
【０１２６】
例えば、次項目を選択するボタンＢ５の操作が検出された場合は、自動調整モードに係る制御を終了する。また、再調整を選択するボタンＢ７の操作が検出された場合は、ステップＳＴ１に戻って画像制御ＣＰＵ５５は自動調整モードに係る制御を継続する。
【０１２７】
このように第１の実施例に係るカラー複写機１００によれば、自動調整モード実行時、画像制御ＣＰＵ５５が状態変化記憶部５２に記憶された機械の状態変化を示す情報に基づいて測定用チャート４０の読み取りを許可するか否かを判断し、この判断結果に基づいてスキャナ１０２を制御するようになる。
【０１２８】
この制御によって、機械に何らかの状態変化が有った場合に、スキャナ１０２における測定用チャート４０の読み取りを不許可とすることができ、機械の状態変化を伴った測定条件下での調整を回避できるようになる。また、機械の状態変化が有った場合や、その複数の調整の項目に対し、一以上の項目で調整を実施しないと判断した場合に、「正しく調整されない可能性があります。測定チャートを再出力して下さい」等のポップアップ画面Ｐ１５が表示され、測定用チャート４０を再出力するように促される。これにより、機械の状態変化が無かった測定条件下で機械の調整を実行できるので、誤った調整を防止できるようになる。
【実施例２】
【０１２９】
続いて、図１１〜図１３を参照して、第２の実施例に係るカラー複写機１００の機械調整例について説明する。第２の実施例では、プリンタ８０の自動調整モードを実行すべく、測定用チャート４０を出力した後に、測定用チャート４０を読み取って調整値を算出する。そして、測定用チャート４０を出力した後から調整を実行する直前に至る間に、機械の状態に変化が有ったか否かに基づいて制御を分岐する。機械の状態に変化が無かった場合は、算出した調整値に基づいて複数の調整項目を自動で調整する自動調整モードを実行する。
【０１３０】
機械の状態に変化が有った場合は、算出した調整値を破棄（無効）して、自動調整モードから手動調整モードに動作モードを切り換えて、手動調整モードに対応した各項目の調整を実行する場合を例に挙げる。手動調整モードでは、プリンタ８０の用紙交差方向（主走査方向）の画像片寄りを手動調整する場合について説明する。
【０１３１】
なお、図１１に示すステップＳＴ２１〜ステップＳＴ２８及び、ステップＳＴ３５の処理内容については、「プリンタ調整」を「片寄り調整」に読み替えることで、第１の実施例で説明したステップＳＴ１〜ステップＳＴ８及びステップＳＴ１５の処理内容と同様となるので、その説明を省略する。
【０１３２】
この例では、図１１に示すステップＳＴ２５で画像制御ＣＰＵ５５はスキャン（読み取りモード）を選択するボタンＢ８が操作された場合は、ステップＳＴ２９で、画像制御ＣＰＵ５５は測定用チャート４０の読み取り処理を実行する。このとき、ユーザはスキャナ１０２に、測定用チャート４０を載置する。
【０１３３】
測定用チャート４０は、図７に示したマスク領域VIが右側にくるようにスキャナ１０２に載置（セット）するようになされる。ユーザは、図５に示したプリンタ調整用画面Ｐ１３でスキャン用のボタンＢ８を押下する。スキャナ１０２は、スキャン用のボタンＢ８が選択されたことで、プリンタ８０から出力された測定用チャート４０を読み取ってチャート取得データＤ４０を出力する。
【０１３４】
その後、ステップＳＴ３０で画像制御ＣＰＵ５５はチャート取得データＤ４０から機械の調整値を算出する。このとき、画像制御ＣＰＵ５５は、スキャナ１０２が読み取った測定用チャート４０のチャート取得データＤ４０を入力し、当該チャート取得データＤ４０から機械の調整量を算出する。この例でも、図７に示した測定用チャート４０の左端エッジと出力された縦線との離隔距離が測定され、その左端エッジと縦線との離隔距離の差が演算され、この差分に基づいて片寄り量を補正するための補正値が算出される。
【０１３５】
そして、ステップＳＴ３１で画像制御ＣＰＵ５５は状態変化に関する情報を参照するべく、状態変化記憶部５２への情報読み出し（アクセス）を実行する。その後、ステップＳＴ３２で、画像制御ＣＰＵ５５は状態変化の有無に基づいて制御を分岐する。このとき、画像制御ＣＰＵ５５は、状態変化記憶部５２に記憶された機械の状態変化を示す情報を読み出し、当該機械の状態変化を示す情報に基づいて機械の各項目を自動で調整する自動調整モードを実行し、又は、当該機械の各項目を手動で調整する手動調整モードを実行する。この自動調整モード又は、手動調整モードの実行によって、機械の状態変化を伴った測定条件下での調整を回避できるようになる。
【０１３６】
機械の状態変化が無い場合は、ステップＳＴ３３で第１の実施例と同様にして、画像制御ＣＰＵ５５は計算された各々の調整値に基づいて機械の複数の調整項目を調整する自動調整モードを実行する。機械の状態変化が有る場合は、ステップＳＴ３４で画像制御ＣＰＵ５５は、自動調整モードに代わって手動調整モードに対応した各項目の調整を実行する。例えば、図１２に示すカラー複写機１００における手動調整例を示すフローチャートに移行する。手動による調整によれば、そのステップＳＴ４１で画像制御ＣＰＵ５５は、調整メニュー画面Ｐ１１を表示するように操作表示部４８を制御する。操作表示部４８には、図３に示した調整メニュー画面Ｐ１１が表示される。
【０１３７】
ステップＳＴ４２で画像制御ＣＰＵ５５は調整項目の選択を受け付ける。このとき、ユーザが例えば、マシン調整を選択すると、調整メニュー画面Ｐ１１からマシン調整用画面Ｐ１２へ表示が切り替わる。マシン調整用画面Ｐ１２には、図４に示したように、「マシン調整メニュー」の文字情報の他に「項目を選んでください」等のメッセージが表示される。この例では、操作表示部４８の画面上で、「プリンタ調整」を選択するボタンＢ４を操作（タッチ）すると、背景色が白黒表示（図中で白抜き）から緑色表示（図中では斜線で示す）なる。
【０１３８】
更に、図４に示したマシン調整用画面Ｐ１２において、「０２  片寄り調整」を選択すると、表示画面が切り替えられ、図１３に示すような片寄り調整用画面Ｐ２１が操作表示部４８に表示される。そして、ステップＳＴ４３で画像制御ＣＰＵ５５は調整値の入力を受け付ける。ここで、測定用チャート４０からスケール等で誤差を測定し、調整量を入力する。片寄り調整用画面Ｐ２１の表示領域Ｉには「プリンタ調整  ＜片寄り調整＞」の文字情報が表示される。
【０１３９】
これと共に表示領域Ｉの下方に隣接する表示領域VIIIには、「トレイ１」〜「トレイ８」や、「現在値」等の項目欄が設けられる。現在値の項目欄には、「トレイ１」〜「トレイ８」の各々に対して「＋０」が表示される。なお、「トレイ１」〜「トレイ８」等は、画像の書き出しタイミングや、片寄り量を個々に調整する必要あるため、各「トレイ１」〜「トレイ８」から繰り出される所定の紙サイズの用紙に基線画像を形成して測定用チャート４０を出力するようになされる。
【０１４０】
表示領域VIIIには、上述した項目欄の他には、「トレイ１」を選択するボタンＢ１９や、トレイ選択アイコン（１／６）を示すボタンＢ２０、上向きスクロール用のボタンＢ２１、下向きスクロール用のボタンＢ２２が表示される。このボタンＢ２０〜Ｂ２２の表示の右側には、数字「０」〜「９」のテンキーや、「＋／−」、「クリア」の手入力用のボタンＢ２４が表示される。
【０１４１】
この表示領域VIIIの右側上方には、表示領域IXが設けられる。表示領域IXには、「プリンタエンジンの用紙交差方向の画像片寄りを調整します。出力された用紙（測定用チャート４０）の通紙方向の中心と左右のラインのズレを確認し、数値を入力します。〔＋〕画像手前方向へ、〔−〕画像奥方向へ  前準備；通紙交差方向倍率調整が終了していること、調整範囲は−４０ｍｍ〜＋４０ｍｍ、１ｓｔｅｐ＝０．１ｍｍ」等のメッセージ文が表示される。
【０１４２】
なお、片寄り調整用画面Ｐ２１の表示領域VIIIの下方には、「印刷モードへ」を選択するボタンＢ６や、「前画面」を選択するボタンＢ９が設けられている。この例では、当該片寄り調整用画面Ｐ２１において、手動調整により、片寄り調整する際の「トレイ１」を選択するボタンＢ１９が操作され、背景色が緑色（図中では斜線で示す）になる。これらにより、片寄り調整用画面Ｐ２１を構成する。この片寄り調整用画面Ｐ２１による入力操作は手間がかかるが読み取り装置の誤差が介入しない。
【０１４３】
そして、ステップＳＴ４４で画像制御ＣＰＵ５５は手動調整モードに基づく機械調整を実行する。このとき、画像制御ＣＰＵ５５では、ユーザの入力操作に対応して、機械の一以上の項目の調整を実行し、片寄り調整用画面Ｐ２１に調整結果を表示するように操作表示部４８を制御するようになる。その後、ステップＳＴ４５で画像制御ＣＰＵ５５は調整結果を不揮発メモリ５４等に記録する。このような状態が変化した調整項目に対し、自動調整モードによる機械調整を中止し、手動調整モードを実施することにより、誤った調整を防ぐことができる。
【０１４４】
このように第２の実施例に係るカラー複写機１００及び画像形成方法によれば、スキャナ１０２は測定用チャート４０を読み取ってチャート取得データＤ４０を出力する。操作部は、測定用チャート４０の出力を指示するように操作される。プリンタ８０は、操作部からの出力指示操作に対応して測定用チャート４０を出力する。状態変化検出部５１は、プリンタ８０によって形成された測定用チャート４０の出力後から当該測定用チャート４０の読み込みを経て、更に調整値の算出に至り、自動調整モードの直前に至る間の機械の状態変化を検出する。
【０１４５】
状態変化記憶部５２には状態変化検出部５１によって検出された機械の状態変化を示す情報が記憶される。これを前提にして、画像制御ＣＰＵ５５が状態変化記憶部５２に記憶された機械の状態変化を示す情報に基づいて自動調整モードによる機械調整を実行し、又は、手動調整モードによる機械調整を実行するようになる。
【０１４６】
この自動調整モード又は手動調整モードを選択するモード切換え制御によって、機械に何らかの状態変化が有った場合に、スキャナ１０２における測定用チャート４０の読み取りが済んでいても、機械の各項目の自動調整を実施しないと判断でき、機械の状態変化を伴った測定条件下での調整を回避できるようになる。これにより、機械の状態変化が無かった測定条件下で機械の自動調整を実行できるので、誤った調整を防止できるようになる。
【０１４７】
なお、画像制御ＣＰＵ５５は、機械の状態変化を示す情報に基づいて当該機械の複数の調整の項目に対し、一以上の項目で調整を実施しないと判断した場合であって、操作表示部４８からの指示操作の入力に基づいて機械で調整可能な項目のみの調整を実施するか否かを判断してもよい。例えば、測定用チャート４０の読み取り後、複数の調整項目のうち一つでも機械の状態が変化していた場合に、既に読み取った情報を破棄し、「測定用チャートを再出力して下さい」等のポップアップ画面Ｐ１５（図８参照）を表示し、測定用チャート４０を再出力させるようにしてもよい。
【０１４８】
このように機械の複数の調整の項目に対し、一以上の項目で調整を実施しないと判断した場合であって、指示操作入力に基づいて機械で調整可能な項目のみの調整を実施するか否かを判断するので、機械の状態変化が伴った測定条件下であっても、特定の機械の調を実行できるようになる。
【産業上の利用可能性】
【０１４９】
この発明は、装置内の機械を含む構成物を調整するための基線画像を形成して出力される測定用チャートを読み取って、当該機械の各項目を自動調整するカラー複写機や、複合機、プリンタ等に適用して極めて好適なものである。
【符号の説明】
【０１５０】
１Ｙ，１Ｍ，１Ｃ，１Ｋ  感光体ドラム（像担持体）
２Ｙ，２Ｍ，２Ｃ，２Ｋ  帯電器（画像形成部）
３Ｙ，３Ｍ，３Ｃ，３Ｋ  画像書き込み部（画像形成部）
４Ｋ，４Ｍ，４Ｃ，４Ｋ  現像器（画像形成部）
６  中間転写ベルト（像担持体：画像形成部）
１０Ｙ，１０Ｍ，１０Ｃ，１０Ｋ  画像形成ユニット（画像形成部）
１１  ＣＣＤ
１２  スキャナ制御部
１４  操作部
１５  制御部
１６  画像処理手段
１７  定着装置
１８  表示部
２０  用紙供給部
２０Ａ〜２０Ｃ  給紙トレイ
５３  画像メモリ
３１  圧縮メモリ
３２  ページメモリ
４０  測定用チャート  
４８  操作表示部
５１  状態変化検出部
５２  状態変化記憶部
５４  不揮発メモリ
５５  画像制御ＣＰＵ
５６  ＤＲＡＭ制御ＩＣ
５７  圧縮／伸長ＩＣ
５８  読出処理部
５９  書込処理部
６１  コントローラＩＣ
６２  ＤＲＡＭ制御ＩＣ
６３  画像メモリ
６４  ＬＡＮ制御部
６５  ＬＡＮＩＦ部
７１  コントローラＩＣ
７２  固定ディスク装置（ＨＤＤ）
８０  プリンタ（画像形成部）
８１  ＬＤ
８２  プリンタ制御部
１００  カラー複写機
２００  パーソナルコンピュータ（パソコン）
【図１】
2012103439.tif 000003
【図２】
2012103439.tif 000004
【図３】
2012103439.tif 000005
【図４】
2012103439.tif 000006
【図５】
2012103439.tif 000007
【図６】
2012103439.tif 000008
【図７】
2012103439.tif 000009
【図８】
2012103439.tif 000010
【図９】
2012103439.tif 000011
【図１０】
2012103439.tif 000012
【図１１】
2012103439.tif 000013
【図１２】
2012103439.tif 000014
【図１３】
2012103439.tif 000015